(57)【要約】【課題】  ＡＶプレーヤのユーザが、ＡＶプレーヤの画面を見つつＡＶプレーヤーから放送された音声を聴くことで、１又は複数の人を監視できること。【解決手段】装置は、１又は複数の画像捕捉・音声読取アセンブリ３と、電源アセンブリ２とを備えている。画像捕捉・音声読取アセンブリ３の各々は、画像捕捉及び音声読取を行い、画像と音声を画像信号及び音声信号に変換し、その画像信号及び音声信号を電磁波で送るように適合されている。電源アセンブリ２は、画像捕捉・音声読取アセンブリ３から遠隔にあり、画像捕捉・音声読取アセンブリ３からの画像信号及び音声信号を含む電磁波を受け取り、処理された画像信号及び音声信号を表示及び放送するためにＡＶプレーヤ１に送るアンテナが結合された受信回路と、ＡＶプレーヤ１に電力供給する電源手段とを有する。【選択図】      図１
2005323327.tif 000002
【特許請求の範囲】
【請求項１】
装置であって、
ＡＶ手段と、
ＡＶ手段に電力供給すると共に信号をやりとりするようＡＶ手段に結合された電源アセンブリと、
電源アセンブリから遠隔にある画像捕捉・音声読取アセンブリと、を備え、
画像捕捉・音声読取アセンブリは、該アセンブリの監視位置から画像捕捉及び音声読取を行い、画像と音声を画像信号及び音声信号に変換し、且つその画像と音声信号を電磁波の形で電源アセンブリに送るように機能し、電源アセンブリは、その画像と音声信号を表示及び放送するためにＡＶ手段に送るように機能する、装置。
【請求項２】
ＡＶ手段はＡＶプレーヤである、請求項１に記載の装置。
【請求項３】
ＡＶ手段は携帯型のものである、請求項１に記載の装置。
【請求項４】
電源アセンブリは、充電回路と、充電回路に接続された電池保護回路と、電池保護回路に接続された充電式電池と、電池保護回路及び充電回路に接続された受信回路と、受信回路に結合された第１のアンテナと、ＡＶ手段に結合されるよう延長されたケーブルと、を有する、請求項１に記載の装置。
【請求項５】
電源アセンブリは、ＡＶ手段へ電力供給するための電源ソケットをさらに有する、請求項４に記載の装置。
【請求項６】
電源アセンブリによって受け取られた画像と音声信号は、ケーブルを介してＡＶ手段に送られる、請求項４に記載の装置。
【請求項７】
画像捕捉・音声読取アセンブリが、
画像捕捉・音声読取アセンブリの監視位置から画像捕捉及び音声読取を行うレンズ・音声読取部材と、
撮像された画像や読み取られた音声を、レンズ・音声読取部材によって、画像信号及び音声信号に変換するように適合された、ＣＭＯＳベースの画像捕捉・音声読取回路と、
ＣＭＯＳベースの画像捕捉・音声読取回路に接続された送信回路と、
送信回路に結合された第２のアンテナと、
送信回路及びＣＭＯＳベースの画像捕捉・音声読取回路に接続された電源回路と、を備え、
送信回路は画像信号及び音声信号を第２のアンテナに送るように適合され、第２のアンテナは、画像信号及び音声信号を第１のアンテナが受け取るように電磁波の形で送るように適合されている、請求項１に記載の装置。
【請求項８】
装置であって、
ＡＶ手段と、
ＡＶ手段に電力供給すると共に信号をやりとりするようＡＶ手段に接続された電源アセンブリと、
各々が電源アセンブリから遠隔にある、複数の監視位置に存在する複数の画像捕捉・音声読取アセンブリと、を備え、
各画像捕捉・音声読取アセンブリは、その監視位置から画像捕捉及び音声読取を行い、画像と音声を画像信号及び音声信号に変換し、且つその画像と音声信号を電磁波の形で電源アセンブリに送るように機能し、電源アセンブリは、その画像と音声信号をピクチャ表示及び放送するためにＡＶ手段に送るように機能する、装置。
【請求項９】
ＡＶ手段はＡＶプレーヤである、請求項８に記載の装置。
【請求項１０】
ＡＶ手段は携帯型のものである、請求項８に記載の装置。
【請求項１１】
ピクチャ・イン・ピクチャがＡＶ手段の画面に表示される、請求項８に記載の装置。
【請求項１２】
電源アセンブリは、充電回路と、充電回路に接続された電池保護回路と、電池保護回路に接続された充電式電池と、電池保護回路及び充電回路に接続された受信回路と、受信回路に結合された第１のアンテナと、ＡＶ手段に結合されるよう延長されたケーブルと、を有する、請求項８に記載の装置。
【請求項１３】
電源アセンブリは、ＡＶ手段へ電力供給するための電源ソケットをさらに有する、請求請求項１２に記載の装置。
【請求項１４】
電源アセンブリによって受け取られた画像と音声信号は、ケーブルを介してＡＶ手段に送られる、請求項１２に記載の装置。
【請求項１５】
画像捕捉・音声読取アセンブリが、
画像捕捉・音声読取アセンブリの監視位置から画像捕捉及び音声読取を行うレンズ・音声読取部材と、
撮像された画像や読み取られた音声を、レンズ・音声読取部材によって、画像信号及び音声信号に変換するように適合された、ＣＭＯＳベースの画像捕捉・音声読取回路と、
ＣＭＯＳベースの画像捕捉・音声読取回路に接続された送信回路と、
送信回路に接続された第２のアンテナと、
送信回路及びＣＭＯＳベースの画像捕捉・音声読取回路に接続された電源回路と、を備え、
送信回路は画像信号及び音声信号を第２のアンテナに送るように適合され、第２のアンテナは、画像信号及び音声信号を第１のアンテナが受け取るように電磁波の形で送るように適合されている、請求項８に記載の装置。
【発明の詳細な説明】
【技術分野】
【０００１】
本発明は電源に関し、より詳細には、１又は複数の画像捕捉・音声読取アセンブリと携帯式電源とを備え、画像捕捉・音声読取アセンブリの各々が、画像捕捉及び音声読取を行うためのレンズ・音声読取手段と送信回路とを有し、携帯式電源は、画像捕捉・音声読取アセンブリから画像信号及び音声信号を含む電磁波を受け取り、処理された画像及び音声を表示及び放送するためにＡＶ（オーディオ／ビジュアル）プレーヤに送る受信回路と、ＡＶプレーヤに電力供給する電源手段とを備えた、携帯式電源に関する。
【背景技術】
【０００２】
従来、ＤＶＤ、ＶＣＤや、それらと同種のものは、１又は複数の小さな電池セルではなく、外部電源（例えば携帯式電源、壁付コンセント又は自動車の動力）により電力供給されている。その理由は、そのような製品の電源消費が非常に大きいためである。さらに、市販の電源には、１つの機能（すなわち電力供給すること）しかない。ＤＶＤやＶＣＤの場合、電源はＣＤ、ＶＣＤ又はそれらと同種のものを再生すること（すなわち音楽又は映画を再生する特徴）のみにしか適合されていない。
【０００３】
別の観点では、安全上の理由から、いついかなる場所でも生活環境や幼い子供の活動を監視する装置を備える必要がある。しかしながら、そのような装置は画像を捕捉するようにしか適合されていない。従って、人々は画像捕捉装置と協働する追加の監視を購入するか、又は画像捕捉装置をコンピュータに取り付けるかしなければならない。上記の構成は、携帯するのが困難で、コストが高くつき、地理的制限がある等の欠点を有する。したがって、電源の開発では持続的な改良が常に求められている。
【特許文献１】台湾特許出願出願公開第３７７０２５号
【特許文献２】日本国特許出願出願公開第２００３−１８９１６３号
【特許文献３】日本国特許出願出願公開第２００３−１５８６５１号
【発明の開示】
【発明が解決しようとする課題】
【０００４】
本発明の目的は、ＡＶプレーヤと、信号受信、信号処理、及び信号送信能力を有する電源アセンブリと、信号送信能力を有する１又は複数の遠隔にある画像捕捉・音声読取アセンブリとを、一緒に組み合わせることにより形成された装置を提供することにある。
【課題を解決するための手段】
【０００５】
上記問題点を解決するために、請求項１に記載の発明は、装置であって、ＡＶ手段と、ＡＶ手段に電力供給すると共に信号をやりとりするようＡＶ手段に結合された電源アセンブリと、電源アセンブリから遠隔にある画像捕捉・音声読取アセンブリと、を備え、画像捕捉・音声読取アセンブリは、該アセンブリの監視位置から画像捕捉及び音声読取を行い、画像と音声を画像信号及び音声信号に変換し、且つその画像と音声信号を電磁波の形で電源アセンブリに送るように機能し、電源アセンブリは、その画像と音声信号を表示及び放送するためにＡＶ手段に送るように機能する装置をその要旨とする。
【０００６】
請求項２に記載の発明は、請求項１に記載の装置において、ＡＶ手段はＡＶプレーヤであることを要旨とする。
請求項３に記載の発明は、請求項１に記載の装置において、ＡＶ手段は携帯型のものであることを要旨とする。
【０００７】
請求項４に記載の発明は、請求項１に記載の装置において、電源アセンブリは、充電回
路と、充電回路に接続された電池保護回路と、電池保護回路に接続された充電式電池と、電池保護回路及び充電回路に接続された受信回路と、受信回路に結合された第１のアンテナと、ＡＶ手段に結合されるよう延長されたケーブルと、を有することを要旨とする。
【０００８】
請求項５に記載の発明は、請求項４に記載の装置において、電源アセンブリは、ＡＶ手段へ電力供給するための電源ソケットをさらに有することを要旨とする。
請求項６に記載の発明は、請求項４に記載の装置において、電源アセンブリによって受け取られた画像と音声信号は、ケーブルを介してＡＶ手段に送られることを要旨とする。
【０００９】
請求項７に記載の発明は、請求項１に記載の装置において、画像捕捉・音声読取アセンブリが、画像捕捉・音声読取アセンブリの監視位置から画像捕捉及び音声読取を行うレンズ・音声読取部材と、撮像された画像や読み取られた音声を、レンズ・音声読取部材によって、画像信号及び音声信号に変換するように適合された、ＣＭＯＳベースの画像捕捉・音声読取回路と、ＣＭＯＳベースの画像捕捉・音声読取回路に接続された送信回路と、送信回路に結合された第２のアンテナと、送信回路及びＣＭＯＳベースの画像捕捉・音声読取回路に接続された電源回路と、を備え、送信回路は画像信号及び音声信号を第２のアンテナに送るように適合され、第２のアンテナは、画像信号及び音声信号を第１のアンテナが受け取るように電磁波の形で送るように適合されていることを要旨とする。
【００１０】
請求項８に記載の発明は、装置であって、ＡＶ手段と、ＡＶ手段に電力供給すると共に信号をやりとりするようＡＶ手段に接続された電源アセンブリと、各々が電源アセンブリから遠隔にある、複数の監視位置に存在する複数の画像捕捉・音声読取アセンブリと、を備え、各画像捕捉・音声読取アセンブリは、その監視位置から画像捕捉及び音声読取を行い、画像と音声を画像信号及び音声信号に変換し、且つその画像と音声信号を電磁波の形で電源アセンブリに送るように機能し、電源アセンブリは、その画像と音声信号をピクチャ表示及び放送するためにＡＶ手段に送るように機能する装置をその要旨とする。
【００１１】
請求項９に記載の発明は、請求項８に記載の装置において、ＡＶ手段はＡＶプレーヤであることを要旨とする。
請求項１０に記載の発明は、請求項８に記載の装置において、ＡＶ手段は携帯型のものであることを要旨とする。
【００１２】
請求項１１に記載の発明は、請求項８に記載の装置において、ピクチャ中の絵はＡＶ手段の画面に表示されることを要旨とする。
請求項１２に記載の発明は、請求項８に記載の装置において、電源アセンブリは、充電回路と、充電回路に接続された電池保護回路と、電池保護回路に接続された充電式電池と、電池保護回路及び充電回路に接続された受信回路と、受信回路に接続された第１のアンテナと、ＡＶ手段に接続されるよう延長されたケーブルと、を有することを要旨とする。
【００１３】
請求項１３に記載の発明は、請求項１２に記載の装置において、電源アセンブリは、ＡＶ手段へ電力供給するための電源ソケットをさらに有することを要旨とする。
請求項１４に記載の発明は、請求項１２に記載の装置において、電源アセンブリによって受け取られた画像と音声信号は、ケーブルを介してＡＶ手段に送られることを要旨とする。
【００１４】
請求項１５に記載の発明は、請求項８に記載の装置において、画像捕捉・音声読取アセンブリが、画像捕捉・音声読取アセンブリの監視位置から画像捕捉及び音声読取を行うレンズ・音声読取部材と、撮像された画像や読み取られた音声を、レンズ・音声読取部材によって、画像信号及び音声信号に変換するように適合された、ＣＭＯＳベースの画像捕捉・音声読取回路と、ＣＭＯＳベースの画像捕捉・音声読取回路に接続された送信回路と、
送信回路に接続された第２のアンテナと、送信回路及びＣＭＯＳベースの画像捕捉・音声読取回路に接続された電源回路と、を備え、送信回路は画像信号及び音声信号を第２のアンテナに送るように適合され、第２のアンテナは、画像信号及び音声信号を第１のアンテナが受け取るように電磁波の形で送るように適合されていることを要旨とする。
【００１５】
本発明の上記の及び他の目的、特徴及び効果が、以下の発明を実施するための最良の形態と添付図面から明らかになるだろう。
【発明の効果】
【００１６】
本発明を利用することにより、ユーザーは、ＡＶプレーヤの画面を見つつＡＶプレーヤにより放送された音声を聴くことで、１又は複数の人を都合良く効果的に監視することができる。
【発明を実施するための最良の形態】
【００１７】
図１〜３に、本発明の好ましい実施形態に従って構成された電源装置を示す。電源装置は、ＡＶプレーヤ１、電源アセンブリ２、及び画像捕捉・音声読取アセンブリ３を備えている。各構成要素については以下に詳述する。
【００１８】
ＡＶプレーヤ１は、ＤＶＤプレーヤデジタルカメラ、携帯用コンピューター又は携帯電話を始めとする、画面を有する市販のビデオプレーヤである。電源アセンブリ２は、平行六面体のハウジング２０として形成され、図２に示すように、充電式電池２１、充電回路２２、電池保護回路２３、受信回路２４、受信回路２４に結合されたアンテナ２５、ＡＶプレーヤ１と信号をやりとりすべく結合するために延長されたケーブル２６、及び電源コード（図示しない）を介してＡＶプレーヤ１へ電力供給する電源ソケット２７を有する。外部ＡＣ電源（例えば１２０Ｖ）は、ＤＣへの変換のために充電ソケット（図示しない）を介して充電回路２２に供給され、ＤＣは次に充電プロセスで電池保護回路２３を介して電池２１に送られる。電池２１は、ＡＶプレーヤ１及び受信回路２４の両方に、それらの通常動作を維持するために、電力供給するよう適合されている。アンテナ２５は、画像捕捉・音声読取アセンブリ３から電磁波を受け取ることができる。次に、受け取られた電磁波は、その電磁波に含まれている画像信号及び音声信号を処理するために、受信回路２４に送られる。最後に、処理された画像と音声は、表示及び放送するために、ケーブル２６を介してＡＶプレーヤ１へ送られる。
【００１９】
画像捕捉・音声読取アセンブリ３は固着されていてもよいし、携帯型のものとして実現されてもよい。図１及び３に示すように、画像捕捉・音声読取アセンブリ３はケース３０として形成され、レンズ・音声読取部材３１、レンズ・音声読取部材３１によって取られた画像と音声を画像信号及び音声信号に変換するように適合されたＣＭＯＳベースの画像捕捉・音声読取回路３２、電源回路３３、送信回路３４、及び送信回路３４に接続されたアンテナ３５を有する。電源回路３３は、画像捕捉・音声読取アセンブリ３の他の構成要素に、それらの通常動作を維持するために、電力供給するよう適合されている。送信回路３４はアンテナに画像信号及び音声信号を送るように適合され、アンテナ３５は、その画像信号及び音声信号をアンテナ２５が受け取るように電磁波の形で送るように適合されている。
【００２０】
典型的な例では、親は、画像捕捉・音声読取アセンブリ３を、自身の小さな子供が遊んでいるか他のことをしている遠隔の場所に設置し得る。次に、上述したような方法で、ＡＶプレーヤ１に電源アセンブリ２を接続する。かくして、親は、ＡＶプレーヤ１の画面から子供の活動を実時間のピクチャで監視することができる。
【００２１】
図４に、本発明の第２の好ましい実施形態に従って構成された電源装置を示す。第２の
好ましい実施形態は、第１の好ましい実施形態とほぼ同じ構造を有している。第２の好ましい実施形態の特徴を以下に説明すると、電源装置は、図１の画像捕捉・音声読取アセンブリ３とは異なる場所に存在する、追加の画像捕捉・音声読取アセンブリ３Ａを備えている。このように、複数の監視位置を実現することができる。この実施形態では、画面の中に画面があるピクチャ・イン・ピクチャがＡＶプレーヤ１の画面に表示される。この実施形態により、人は、１度に２つの場所の安全状況を監視することができ、例えば屋内又は屋外環境にいる訪問者と、幼い子供の活動場所とを監視することができる。当然ながら、必要に応じて、３つ以上の画像捕捉・音声読取アセンブリ３を他の実施形態で実現することも可能である。
【００２２】
本願開示の発明を特定の実施形態によって説明してきたが、請求項に定義された本発明の趣旨及び精神から逸脱することなく、多くの改変や変形を当業者ならなし得るであろう。
【図面の簡単な説明】
【００２３】
【図１】本発明による画像捕捉・音声読取・出力構成を備えた電源の第１の好ましい実施形態を示す分解斜視図。
【図２】図１に示した電源アセンブリを示すブロック図。
【図３】図１に示した画像捕捉・音声読取アセンブリを示すブロック図。
【図４】本発明による複数の画像捕捉・音声読取・出力構成を備えた電源の第２の好ましい実施形態を示す分解斜視図。
【符号の説明】
【００２４】
１…ＡＶ手段としてのＡＶプレーヤ、２…携帯式電源としての電源アセンブリ、３…画像捕捉・音声読取アセンブリ、２１…充電式電池、２２…充電回路、２３…電池保護回路、２４…受信回路、２５…第１のアンテナ、２６…ケーブル、２７…電源手段としての電源ソケット、３１…レンズ・音声読取部材、３２…ＣＭＯＳベースの画像捕捉・音声読取回路、３３…電源回路、３４…送信回路、３５…第２のアンテナ。
【図１】
2005323327.tif 000003
【図２】
2005323327.tif 000004
【図３】
2005323327.tif 000005
【図４】
2005323327.tif 000006